【手続補正書】
【提出日】平成28年8月26日(2016.8.26)
【手続補正１】
【補正対象書類名】特許請求の範囲
【補正対象項目名】全文
【補正方法】変更
【補正の内容】
【特許請求の範囲】
【請求項１】
通信のための装置であって、ここにおいて、前記装置は、第２の装置に関連付けられるように構成され、前記装置は、
サーバに対して前記装置を認証するように構成された処理システムと、
前記第２の装置を認証器として許可するためのメッセージを前記サーバに送ることと、
前記メッセージを送る結果として、前記サーバから認証証明書を受信すること、前記認証証明書は、前記サーバと前記第２の装置との間でセッションをセットアップするためのものである、と、
前記第２の装置によってトンネリングされ且つ解読されていない、暗号化されたメッセージを介して第３の装置と通信すること、ここにおいて、前記第３の装置は、前記第２の装置に関連付けられ、前記装置には関連付けられず、各々の暗号化されたメッセージは、ローカルエリアネットワーク上で動作する拡張認証プロトコル（ＥＡＰＯＬ）メッセージを備える、と
を行うように構成された通信デバイスと
を備える、装置。
【請求項２】
前記装置は、前記認証証明書を前記第２の装置に送るように構成された送信機をさらに備える、
請求項１に記載の装置。
【請求項３】
前記サーバは、ＲＡＤＩＵＳサーバまたはＤＩＡＭＥＴＥＲサーバを備え、
前記メッセージは、ＲＡＤＩＵＳメッセージまたはＤＩＡＭＥＴＥＲメッセージを備え、
前記認証証明書は、ＲＡＤＩＵＳ認証証明書またはＤＩＡＭＥＴＥＲ認証証明書を備える、
請求項２に記載の装置。
【請求項４】
前記メッセージは、前記第２の装置を前記サーバのクライアントとして承認するための要求を備える、
請求項１に記載の装置。
【請求項５】
前記通信デバイスは、前記サーバから暗号マスターキーを受信するようにさらに構成され、
前記装置は、前記暗号マスターキーを前記第２の装置に送るように構成された送信機をさらに備える、
請求項１に記載の装置。
【請求項６】
前記暗号マスターキーは、ペアワイズマスターキーを備える、請求項５に記載の装置。
【請求項７】
通信の方法であって、ここにおいて、第１の装置は、第２の装置に関連付けられ、前記方法は、
サーバに対して前記第１の装置を認証することと、
前記第２の装置を認証器として許可するためのメッセージを前記第１の装置から前記サーバに送ることと
前記メッセージを送る結果として、前記サーバから認証証明書を受信すること、前記認証証明書は、前記サーバと前記第２の装置との間でセッションをセットアップするためのものである、と、
前記第２の装置によってトンネリングされ且つ解読されていない、暗号化されたメッセージを介して第３の装置と通信すること、ここにおいて、前記第３の装置は、前記第２の装置に関連付けられ、前記第１の装置には関連付けられず、各々の暗号化されたメッセージは、ローカルエリアネットワーク上で動作する拡張認証プロトコル（ＥＡＰＯＬ）メッセージを備える、と
を備える、方法。
【請求項８】
前記認証証明書を前記第２の装置に送ることをさらに備える、
請求項７に記載の方法。
【請求項９】
前記サーバは、ＲＡＤＩＵＳサーバまたはＤＩＡＭＥＴＥＲサーバを備え、
前記メッセージは、ＲＡＤＩＵＳメッセージまたはＤＩＡＭＥＴＥＲメッセージを備え、
前記認証証明書は、ＲＡＤＩＵＳ認証証明書またはＤＩＡＭＥＴＥＲ認証証明書を備える
請求項８に記載の方法。
【請求項１０】
前記メッセージは、前記第２の装置を前記サーバのクライアントとして承認するための要求を備える、
請求項７に記載の方法。
【請求項１１】
前記第１の装置が、前記サーバから暗号マスターキーを受信することと、
前記暗号マスターキーを前記第１の装置から前記第２の装置に送ることとをさらに備える、
請求項７に記載の方法。
【請求項１２】
前記暗号マスターキーは、ペアワイズマスターキーを備える、
請求項１１に記載の方法。
【請求項１３】
通信のための装置であって、ここにおいて、第２の装置は、前記装置に対して認証されるように構成され、前記装置は、
前記第２の装置からメッセージを受信すること、ここにおいて、前記メッセージは、前記第２の装置に関連付けられた第３の装置を識別する、と、
認証証明書を前記第２の装置に送ること、ここにおいて、前記認証証明書は、前記装置と前記第３の装置との間でセッションをセットアップするためのものである、と
を行うように構成された通信デバイス、と、
前記メッセージを受信する結果として、前記第３の装置を認証器として許可するように構成された処理システムと
を備え、前記通信デバイスは、前記第３の装置および第４の装置がワイヤレスチャネルを介して安全な通信を確立することを可能にするために暗号キーを前記第３の装置に送るようにさらに構成され、前記安全な通信は、前記第３の装置によってトンネリングされ且つ解読されていない、暗号化されたメッセージを備え、前記第４の装置は、前記第３の装置に関連付けられ、前記第２の装置には関連付けられず、各々の暗号化されたメッセージは、ローカルエリアネットワーク上で動作する拡張認証プロトコル（ＥＡＰＯＬ）メッセージを備える、
装置。
【請求項１４】
前記メッセージは、前記第３の装置を前記装置のクライアントとして承認するための要求を備える、
請求項１３に記載の装置。
【請求項１５】
前記処理システムは、前記第３の装置に関連付けられた第４の装置とセッションを確立するようにさらに構成され、
前記処理システムは、前記セッションに関連付けられた前記暗号キーを取得するようにさらに構成される、
請求項１３に記載の装置。
【請求項１６】
通信の方法であって、ここにおいて、第１の装置はサーバに対して認証され、前記方法は、
前記サーバが、前記第１の装置からメッセージを受信すること、ここにおいて、前記メッセージは前記第１の装置に関連付けられた第２の装置を識別する、と、
前記メッセージを受信する結果として、前記第２の装置を認証器として許可することと、
認証証明書を前記第１の装置に送ること、ここにおいて、前記認証証明書は、前記サーバと前記第２の装置との間で前記セッションをセットアップするためのものである、と、
前記第２の装置および第３の装置がワイヤレスチャネルを介して安全な通信を確立することを可能にするために暗号キーを前記第２の装置に送ること、前記安全な通信は、前記第２の装置によってトンネリングされ且つ解読されていない、暗号化されたメッセージを備え、前記第３の装置は、前記第２の装置に関連付けられ、前記第１の装置には関連付けられず、各々の暗号化されたメッセージは、ローカルエリアネットワーク上で動作する拡張認証プロトコル（ＥＡＰＯＬ）メッセージを備える、と
を備える、方法。
【請求項１７】
前記メッセージは、前記第２の装置を前記サーバのクライアントとして承認するための要求を備える、
請求項１６に記載の方法。
【請求項１８】
前記第２の装置に関連付けられた第３の装置とセッションを確立することと、
前記セッションに関連付けられた暗号キーを取得することと
をさらに備える、請求項１６に記載の方法。
【請求項１９】
通信のためのアクセスポイントであって、ここにおいて、前記アクセスポイントは、中継器に関連付けられるように構成され、前記アクセスポイントは、
少なくとも１つのアンテナと、
前記少なくとも１つのアンテナを介して、サーバに対して前記アクセスポイントを認証するように構成された処理システムと、
前記少なくとも１つのアンテナを介して、前記中継器を認証器として許可するためのメッセージを前記サーバに送ることと、
前記少なくとも１つのアンテナを介して、前記メッセージを送る結果として、前記サーバから認証証明書を受信すること、前記認証証明書は、前記サーバと前記中継器との間でセッションをセットアップするためのものである、と、
前記中継器によってトンネリングされ且つ解読されていない、暗号化されたメッセージを介して局と通信すること、ここにおいて、前記局は、前記中継器に関連付けられ、前記アクセスポイントには関連付けられず、各々の暗号化されたメッセージは、ローカルエリアネットワーク上で動作する拡張認証プロトコル（ＥＡＰＯＬ）メッセージを備える、と
を行うように構成された通信デバイスと
を備える、アクセスポイント。
【請求項２０】
通信のためのサーバであって、ここにおいて、アクセスポイントは、前記サーバに対して認証されるように構成され、前記サーバは、
少なくとも１つのアンテナと、
前記少なくとも１つのアンテナを介して、前記アクセスポイントからメッセージを受信すること、ここにおいて、前記メッセージは、前記アクセスポイントに関連付けられた中継器を識別する、と、
前記少なくとも１つのアンテナを介して、許可証明書を前記アクセスポイントに送ること、ここにおいて、前記認証証明書は、前記サーバと前記中継器との間でセッションをセットアップするためのものである、と
を行うように構成された通信デバイス、と、
前記メッセージを受信する結果として、前記中継器を認証器として許可するように構成された処理システムと
を備え、前記通信デバイスは、前記中継器および局がワイヤレスチャネルを介して安全な通信を確立することを可能にするために暗号キーを前記中継器に送るようにさらに構成され、前記安全な通信は、前記中継器によってトンネリングされ且つ解読されていない、暗号化されたメッセージを備え、前記局は、前記中継器に関連付けられ、前記アクセスポイントには関連付けられず、各々の暗号化されたメッセージは、ローカルエリアネットワーク上で動作する拡張認証プロトコル（ＥＡＰＯＬ）メッセージを備える、
サーバ。